(57)【要約】【課題】貯留皿よりも上方に補助受け皿を配置しつつ、遊技領域と発射手段の前側を個別に開閉できる弾球遊技機を提供する。【解決手段】遊技領域に向けて遊技球を発射する発射手段と、発射手段に供給するための遊技球を貯留する貯留皿１４と、貯留皿１４よりも上方に配置され且つ遊技機外から供給される遊技球を受けて貯留皿１４へと案内する補助受け皿６３とを備えた弾球遊技機で、遊技領域に対応する透明窓１３が形成された上扉９と、発射手段の前側に対応する下扉１０とが上下に隣接して遊技機本体１の前側に開閉自在に枢支され、上扉９に補助受け皿６３を、下扉１０に貯留皿１４を夫々配置したものである。【選択図】図１
2008295619.tif 000002
【特許請求の範囲】
【請求項１】
遊技領域（１２）に向けて遊技球を発射する発射手段（７）と、該発射手段（７）に供給するための遊技球を貯留する貯留皿（１４）と、該貯留皿（１４）よりも上方に配置され且つ遊技機外から供給される遊技球を受けて前記貯留皿（１４）へと案内する補助受け皿（６３）とを備えた弾球遊技機において、前記遊技領域（１２）に対応する透明窓（１３）が形成された上扉（９）と、前記発射手段（７）の前側に対応する下扉（１０）とが上下に隣接して遊技機本体（１）の前側に開閉自在に枢支され、前記上扉（９）に前記補助受け皿（６３）を、前記下扉（１０）に前記貯留皿（１４）を夫々配置したことを特徴とする弾球遊技機。
【請求項２】
前記上扉（９）の開閉動作に連動して、前記上扉（９）が閉鎖状態のときに前記補助受け皿（６３）側の遊技球排出口（７３）を開放し、前記上扉（９）が開放状態のときに前記遊技球排出口（７３）を閉鎖するシャッター手段（７４）を備えたことを特徴とする請求項１に記載の弾球遊技機。
【請求項３】
前記シャッター手段（７４）は、前記遊技球排出口（７３）を閉鎖する閉鎖位置と開放する開放位置との間で揺動可能な開閉部材（９４）と、この開閉部材（９４）と一体的に揺動可能で且つ前記閉鎖位置のときに補助受け皿（６３）の後側に突出し、前記開放位置のときには突出しないように設けられた押圧部材（９７）と、前記開閉部材（９４）を前記閉鎖位置側に付勢する付勢手段（９５）とを備え、前記上扉（９）が閉鎖状態のときには前記付勢手段（９５）の付勢力に抗して前記押圧部材（９７）が前記遊技機本体（１）側の所定部分に押圧されることにより前記開閉部材（９４）が前記遊技球排出口（７３）を開放し、前記上扉（９）が開放状態のときには前記所定部分による前記押圧部材（９７）の押圧が解除されて前記付勢手段（９５）の付勢力により前記開閉部材（９４）が前記遊技球排出口（７３）を閉鎖するように構成されていることを特徴とする請求項２に記載の弾球遊技機。
【請求項４】
前記遊技球排出口（７３）を、前記補助受け皿（６３）の底部にその下側の前記貯留皿（１４）に向けて開口状に設けたことを特徴とする請求項２又は３に記載の弾球遊技機。
【請求項５】
前記補助受け皿（６３）は、その左右方向一端側において前記上扉（９）に対して上下軸（８２）廻りに回転可能に枢支され、その裏面側が前記上扉（９）の前側に当接する通常位置と前側に離間する離間位置との間で揺動自在であることを特徴とする請求項１〜４の何れかに記載の弾球遊技機。
【請求項６】
前記補助受け皿（６３）を前記上扉（９）の左右方向一端側に設け、前記上下軸（８２）を前記上扉（９）の左右方向端部近傍に設けたことを特徴とする請求項５に記載の弾球遊技機。
【請求項７】
前記補助受け皿（６３）における前記上下軸（８２）と反対の遊端側に、前記上扉（９）側の被係合部（８３）に係脱自在に係合する係合部（８４）を設け、該係合部（８４）は前記補助受け皿（６３）に一定以上の前向きの力が作用したときに前記被係合部（８３）への係合が解除されるように構成されていることを特徴とする請求項５又は６に記載の弾球遊技機。
【請求項８】
前記シャッター手段（７４）は、前記上扉（９）の開閉及び前記補助受け皿（６３）の揺動に連動して、前記上扉（９）が閉鎖状態で且つ前記補助受け皿（６３）が前記通常位置にあるときに前記遊技球排出口（７３）を開放し、前記上扉（９）が開放状態にあるか又は前記補助受け皿（６３）が前記離間位置にあるときに前記遊技球排出口（７３）を閉鎖するように構成されていることを特徴とする請求項５〜７の何れかに記載の弾球遊技機。
【請求項９】
前記補助受け皿（６３）の下面側に、前記上扉（９）が閉鎖状態で且つ前記補助受け皿（６３）が前記通常位置にあるときに前記貯留皿（１４）の縁部上面側に当接する支持当接部（１１０）を設けたことを特徴とする請求項５〜８の何れかに記載の弾球遊技機。
【請求項１０】
前記支持当接部（１１０）の後部側は、前記上扉（９）が開放状態から閉鎖状態に移動し、又は前記補助受け皿（６３）が前記離間位置から前記通常位置に移動する際に前記貯留皿（１４）の縁部に前側から乗り上げ可能な傾斜状に形成されていることを特徴とする請求項９に記載の弾球遊技機。
【発明の詳細な説明】
【技術分野】
【０００１】
本発明は、発射手段に供給するための遊技球を貯留する貯留皿よりも上方に、遊技機外から供給される遊技球を受けて貯留皿へと案内する補助受け皿を設けたパチンコ機等の弾球遊技機に関するものである。
【背景技術】
【０００２】
従来の弾球遊技機は、発射手段に供給するための遊技球を貯留すると共に払い出された賞球を受ける上皿と、この上皿満杯時の余剰球を受ける下皿とを上下に配置したものが一般的であった。従って、遊技ホールにおいて各遊技機の間に配置される球貸し機の遊技球供給ノズルは、その上皿の高さに合わせて最適な位置に設けられている。
【０００３】
ところが最近では、遊技領域の拡大によって上皿と下皿を二段に配置することがスペース的に難しくなったことなどから、遊技球を貯留する皿を一つにして従来の上皿よりも低い位置に配置すると共に、その貯留皿の上側に、球貸し機の遊技球供給ノズルから供給される遊技球を受けて貯留皿へと案内する補助受け皿を新たに設けた弾球遊技機が登場している（特許文献１参照）。
【０００４】
この特許文献１に記載のパチンコ機では、遊技盤取付枠の前側に開閉自在に枢支された前面枠の前側に貯留皿と補助受け皿とが配置され、補助受け皿の下流側は、遊技機内の払い出し手段から払い出された遊技球を貯留皿に排出するための払い出し口に連通しており、遊技球供給ノズルから補助受け皿に供給された遊技球はこの払い出し口から貯留皿に流入するように構成されている。
【特許文献１】特開２００６−１４９８０８号公報
【発明の開示】
【発明が解決しようとする課題】
【０００５】
特許文献１に記載のパチンコ機では、貯留皿と補助受け皿とが一つの前面枠上に設けられて常に同時に開閉されるように構成されているため、その前面枠をそれら貯留皿と補助受け皿とに対応する大きさ、即ち少なくとも遊技領域から発射手段までを覆う大きさに形成する必要があり、例えば遊技領域側を開放すれば同時に発射手段の前側も開放されてしまうという問題があった。
【０００６】
本発明は、このような従来の問題点に鑑み、貯留皿よりも上方に補助受け皿を配置しつつ、遊技領域と発射手段の前側を個別に開閉できる弾球遊技機を提供することを目的とする。
【課題を解決するための手段】
【０００７】
本発明は、遊技領域１２に向けて遊技球を発射する発射手段７と、該発射手段７に供給するための遊技球を貯留する貯留皿１４と、該貯留皿１４よりも上方に配置され且つ遊技機外から供給される遊技球を受けて前記貯留皿１４へと案内する補助受け皿６３とを備えた弾球遊技機において、前記遊技領域１２に対応する透明窓１３が形成された上扉９と、前記発射手段７の前側に対応する下扉１０とが上下に隣接して遊技機本体１の前側に開閉自在に枢支され、前記上扉９に前記補助受け皿６３を、前記下扉１０に前記貯留皿１４を夫々配置したものである。
【発明の効果】
【０００８】
本発明によれば、貯留皿１４よりも上方に補助受け皿６３を配置しつつ、遊技領域１２と発射手段７の前側を個別に開閉することが可能となる。
【発明を実施するための最良の形態】
【０００９】
以下、本発明の実施形態を図面に基づいて詳述する。図１〜図１１は本発明をパチンコ機に採用した一実施形態を例示している。図１において、遊技機本体１は、矩形状の外枠２と、この外枠２の前側に配置された内枠３とを備えている。
【００１０】
内枠３は例えば合成樹脂製の一体成型品で、左右方向一端側に設けられた上下一対のヒンジ４により外枠２の前側に開閉自在に枢支され、ヒンジ４と反対側の遊端側が施錠手段５により外枠２に施錠可能となっている。この内枠３は、図２等に示すように、外枠２の前面側に当接する矩形状の枠部６と、この枠部６の内側下部に配置される下部装着部３ａと、枠部６の内側上部に配置される上部装着部３ｂとを一体に備え、下部装着部３ａに発射手段７等が、上部装着部３ｂに遊技盤８等が夫々配置されている。
【００１１】
また、内枠３の前側には、上部装着部３ｂに対応するガラス扉（上扉）９と、下部装着部３ａに対応する下扉１０とが上下に隣接して配置され、ヒンジ４と同じ側のヒンジ１１ａ，１１ｂにより開閉自在に枢支されている。ガラス扉９には遊技盤８の遊技領域１２に対応するガラス窓（透明窓）１３が設けられ、また下扉１０には、発射手段７に供給するための遊技球を貯留する貯留皿１４、発射手段７を作動させるための発射ハンドル１５等が設けられている。
【００１２】
下部装着部３ａは、枠部６の下部側の下横枠部６ａの上側に沿って横長状に形成されており、図２に示すようにその前側の例えば左右方向略中央に発射手段７が配置され、下扉１０側の貯留皿１４からこの発射手段７に発射用の遊技球が供給されるようになっている。発射手段７は、発射レール１６、打撃槌１７等を備え、遊技者が発射ハンドル１５を操作したときに、貯留皿１４側から発射レール１６上に供給される遊技球を打撃槌１７で打撃して遊技盤８側へと発射させるようになっている。
【００１３】
また、発射手段７の左側には、内枠３の裏側の払い出し手段２０（図３）から払い出された遊技球を下扉１０側の貯留皿１４に排出するための払い出し口１８等が、右側には下部スピーカ１９が配置されている。
【００１４】
上部装着部３ｂは、枠部６の内側で且つ下部装着部３ａの上側に配置され、外枠２の内側に嵌合可能な後ろ向き膨出状に形成されており、その前部に設けられた遊技盤装着枠２１に遊技盤８が前側から着脱自在に装着されている。遊技盤装着枠２１には複数の締結具２２が前向き突出状に設けられており、内枠３の前側から遊技盤装着枠２１内に嵌め込まれた遊技盤８はその締結具２２により固定されるようになっている。また、上部装着部３ｂの上部には、その左右両端側に一対の上部スピーカ２３が着脱自在に装着されている。
【００１５】
遊技盤８はその前面側に発射手段７からの遊技球を案内するガイドレール２４を備え、このガイドレール２４の内側が略円形状の遊技領域１２となっている。遊技領域１２には、図示省略した液晶表示手段、大入賞手段等の複数の遊技部品が装着されている。
【００１６】
下部装着部３ａの前側に装着される下扉１０は、図４に示すように、下部装着部３ａの前側に略平行に配置される台板３１を備え、この台板３１の前側に貯留皿１４、下扉カバー３２、発射ハンドル１５、灰皿３３等が、台板３１の裏側に球送り手段３４，ファール球案内手段３５等が配置されている。
【００１７】
台板３１は、例えば合成樹脂により下部装着部３ａを略覆う横長矩形状に形成され、その左端側において上下方向のヒンジ１１ｂにより内枠３に枢支されている。台板３１には、例えばその左端側上部に払い出し排出口３６が前後に貫通する開口状に形成されると共に、この払い出し排出口３６の後側に下部装着部３ａ側の払い出し口１８に対応して払い出し案内樋３７が後ろ向きに突設されており、払い出し手段２０から払い出された遊技球が払い出し口１８から払い出し案内樋３７を経て払い出し排出口３６から前側の貯留皿１４に払い出されるようになっている。なお、台板３１の裏側にはその略全体を覆うように板金製のあて板３８が着脱自在に装着されている。
【００１８】
貯留皿１４は、台板３１の前側上部に横長状に設けられ、払い出し排出口３６に対応する左端側から右端側に向けて緩やかに下る傾斜状に形成されており、遊技球を徐々に一列状に整列させつつ下流側の球送り手段３４に案内するようになっている。貯留皿１４の底壁には開閉可能な球抜き口３９が設けられている。
【００１９】
下扉カバー３２は、貯留皿１４の前側から台板３１の略全体を覆うもので、貯留皿１４の前側を覆う貯留皿カバー部４１と、それ以外の部分を覆う前カバー部４２とを備えている。貯留皿カバー部４１には、前側に貸し球操作部４３、演出操作部４４等が設けられ、その上縁側は貯留皿１４の縁部を上側から覆うように貯留皿１４の内側に向けて屈曲している。また、前カバー部４２には、例えば貯留皿カバー部４１の右側に発射ハンドル１５が前向きに突設されると共にその周辺部に下部スピーカ１９に対応する放音部４５等が設けられ、貯留皿カバー部４１の左側に灰皿３３等が設けられている。
【００２０】
球送り手段３４は、貯留皿１４側から流下してきた遊技球を、打撃槌１７による発射動作と同期して発射レール１６上に一個ずつ供給するためのもので、発射手段７の前側に対応して台板３１の後側に着脱自在に装着されている。ファール球案内手段３５は、発射手段７により発射されたにも拘わらず遊技領域１２に達することなく戻ってきたファール球を貯留皿１４等に返却するためのもので、発射レール１６とガイドレール２４との間に対応して台板３１の後側に着脱自在に装着されている。
【００２１】
上部装着部３ｂの前側に装着されるガラス扉９は、図３，図５等に示すように、例えば板金製の扉枠５１と、この扉枠５１の前側に装着された合成樹脂製のガラス扉カバー５２と、扉枠５１の裏側に装着されたガラスユニット５３とを備えている。
【００２２】
扉枠５１は、上部装着部３ｂに対応する略矩形状に形成され、その左端側において上下方向のヒンジ１１ａにより内枠３に枢支されており、その中央にガラス窓１３を構成する窓孔５４が、上部側に上部スピーカ２３に対応する左右一対の音出し孔５５が形成されている。窓孔５４は、その下部側が水平に近い緩やかな曲線状に形成されており、扉枠５１の下部側の下枠部５１ａは枠幅が略一定の左右方向細長状となっている。
【００２３】
ガラスユニット５３は、窓孔５４に対応する形状に形成された前後二枚のガラス板５６と、この二枚のガラス板５６を外周で保持する合成樹脂製の保持枠５７とで中空状に構成されており、扉枠５１の裏側に設けられた複数の締結摘まみ５８により扉枠５１に着脱自在に固定されている。
【００２４】
ガラス扉カバー５２は、扉枠５１の前側で且つ窓孔５４の外側を略覆う形状に形成されており、図１に示すように例えばガラス窓１３の外周に沿って多数の発光部５９が設けられると共に、扉枠５１側の音出し孔５５に対応して放音部６０が形成されている。
【００２５】
また、ガラス扉カバー５２のうち、扉枠５１の下枠部５１ａの前側に対応する下枠カバー部６１の前側には、窓下カバー６２が着脱自在に装着されている。この窓下カバー６２には、左右一端側、例えばヒンジ１１ａ側に補助受け皿６３を固定するための固定部６４が設けられており、この固定部６４の前側に補助受け皿６３が装着されている。
【００２６】
補助受け皿６３は、遊技機本体１の左側に配置された球貸し機６５の遊技球供給ノズル６６（図３）から供給される遊技球を受けて貯留皿１４へと案内するもので、図７〜図９等に示すように、ベース板７１と、このベース板７１の前側に装着される皿体７２と、補助受け皿６３の底部に設けられた遊技球排出口７３を開閉するシャッター手段７４と、皿体７２の前側から左右両側を覆う外カバー７５と、皿体７２の下側を覆う下カバー７６とを備え、軸受カバー７７を介してガラス扉９の前側に装着されている。
【００２７】
ベース板７１は、扉枠５１と略平行な板状で、横長の略矩形状に形成されており、外縁に沿って例えば後ろ向き所定幅の外周リブ８１が一体形成されている。また、ベース板７１には、ヒンジ１１ａ側の一端、即ち左端側に、このベース板７１よりも若干前側に偏位して上下方向のヒンジ軸（上下軸）８２が一体に設けられ、またそのヒンジ軸８２と反対側の端部近傍、即ち右端部近傍に、固定部６４側に設けられた例えば開口状の被係合部８３に係脱自在に係合する係合部８４が、例えば後ろ向き突出状に一体形成されている。
【００２８】
更に、ベース板７１には皿体７２を位置決めするための位置決め孔８５と、外カバー７５を固定するための固定ネジ８６ａ，８６ｂを前側から挿通させるための挿通孔８７ａ，８７ｂとが設けられている。挿通孔８７ａ，８７ｂは例えばベース板７１の左右両端側に設けられており、その一方の挿通孔８７ａは、係合部８４に対応してその前側に突設された固定座８８の前端側に設けられている。
【００２９】
皿体７２は、遊技球排出口７３を構成する上開口部７３ａが設けられた底壁９１と、この底壁９１の前側及び左右両側に対応して上開きの傾斜状に立設された側壁９２とで構成されており、その後側をベース板７１で閉鎖するようにベース板７１の前側に装着され、例えば外カバー７５を介してベース板７１に固定されている。なお、皿体７２は、その後端側に位置決め突部９３を備えており、この位置決め突部９３をベース板７１側の位置決め孔８５に嵌合させることによりベース板７１に対して位置決めされるようになっている。
【００３０】
皿体７２の底壁９１は、遊技球排出口７３側に向けて緩やかな傾斜状に形成されており、遊技球供給ノズル６６から供給された遊技球を遊技球排出口７３側に案内するようになっている。なお、遊技球排出口７３を構成する上開口部７３ａは、例えば円形の貫通孔で、貯留皿１４の上側に対応するように例えば底壁９１の右端側に設けられている。
【００３１】
シャッター手段７４は、遊技球排出口７３を開閉可能な開閉部材９４と、この開閉部材９４を閉鎖側に付勢するバネ部材（付勢手段）９５とを備えている。
【００３２】
開閉部材９４は、一端側に遊技球排出口７３を閉鎖可能な開閉部９４ａを、他端側に軸孔９４ｂを備えた細永平板状で、皿体７２の下側に略水平に配置されている。開閉部材９４は、軸孔９４ｂに、例えば下カバー７６側に一体形成されている上下方向の枢軸９６が挿通されることにより皿体７２の底壁９１と下カバー７６との間に枢支されており、開閉部９４ａが遊技球排出口７３を閉鎖する閉鎖位置と、開閉部９４ａが遊技球排出口７３の前側に待避して遊技球排出口７３を開放する開放位置との間で前後に揺動可能となっている。
【００３３】
また、開閉部材９４には、例えばその後縁側から後ろ向きに突出する押圧レバー（押圧部材）９７が一体に設けられている。押圧レバー９７は、開閉部材９４が閉鎖位置のときに補助受け皿６３の後側に突出し、開閉部材９４が開放位置のときには皿体７２の下側に待避してガラス扉９の後側には突出しないように設けられている。なお、押圧レバー９７は例えば平板状で、開閉部材９４よりも低い位置に略水平に配置され、上下方向の連結部９８を介して開閉部材９４と連結されている。
【００３４】
バネ部材９５は、その一端側が開閉部材９４に、他端側が例えば下カバー７６側に夫々固定されており、開閉部材９４を閉鎖位置側に向けて常時付勢している。
【００３５】
外カバー７５は、皿体７２の外周側を覆うもので、皿体７２の前側から左右両側を取り囲むように配置されており、その左右の後端側をベース板７１の前面側に当接させた状態で、後ろ向き突出状に設けられた固定基部９９ａ，９９ｂに、固定ネジ８６ａ，８６ｂをベース板７１側の挿通孔８７ａ，８７ｂを介してねじ込むことによりベース板７１に着脱自在に固定されている。皿体７２は、その位置決め突部９３がベース板７１側の位置決め孔８５に嵌合し、また上縁部７２ａが、外カバー７５の上縁側とベース板７１の前面側とで形成される上開口部１００ａに嵌合することによりベース板７１と外カバー７５との間に保持されている。
【００３６】
また、外カバー７５には、その前側に装飾部材装着孔１０１（図８）が形成されており、装飾部材１０２がこの装飾部材装着孔１０１に後側から着脱自在に装着されている。装飾部材１０２には、例えばその左右両端側に固定ネジ用の挿通孔が設けられた固定片１０３ａ，１０３ｂが一体に形成されており、一方の固定片１０３ｂは固定ネジ１０４により外カバー７５側の固定基部１０５に固定され、他方の固定片１０３ａは、ベース板７１側の固定座８８と外カバー７５側の固定基部９９ａとの間に挟まれて固定ネジ８６ａにより共締めされている。
【００３７】
更に、装飾部材１０２には、皿体７２の上縁部７２ａに下側から当接する支持片１０２ａが後ろ向き突出状に一体形成されており、図８に示すように、この支持片１０１ａと外カバー７５の上側の縁部とで皿体７２側の上縁部７２ａを上下両面側から挟み込むことにより皿体７２の前部側を上下方向に支持するようになっている。
【００３８】
下カバー７６は、皿体７２の下面側をシャッター手段７４の下側から覆うもので、外カバー７５の下縁側とベース板７１の前面側とで形成される下開口部１００ｂに下側から嵌合している。下カバー７６には、固定ネジ１０６ａ，１０６ｂを下側から挿通させるための挿通孔１０７ａ，１０７ｂが設けられており、固定ネジ１０６ａ，１０６ｂを挿通孔１０７ａ，１０７ｂを介して皿体７２側の固定基部１０８ａ，１０８ｂにねじ込むことにより皿体７２に着脱自在に装着されている。なお、例えば一方の挿通孔１０７ｂは枢軸９６内に設けられている。
【００３９】
また、下カバー７６には、上開口部７３ａの下側に対応して設けられ且つ上開口部７３ａと共に遊技球排出口７３を構成する下開口部７３ｂ、押圧レバー９７に対応する切欠部１０９等が形成されており、押圧レバー９７は切欠部１０９を介して下カバー７６の下側に露出して、その後端側が例えば下扉１０側の台板３１の前面側に当接するようになっている。
【００４０】
また、下カバー７６の下面側には、図６，図８に示すように、１又は複数の支持当接部１１０が下向きに突設されている。この支持当接部１１０は、貯留皿１４の縁部上面側に対応する位置に配置されており、その後部側が後上がりの傾斜部１１０ａとなっている。
【００４１】
軸受カバー７７は、補助受け皿６３をそのヒンジ軸８２廻りに揺動自在な状態でガラス扉９側の固定部６４に枢支するためのもので、その内側にヒンジ軸８２を回転自在に保持する例えば上下一対の軸受部１１１を備え、ヒンジ軸８２を覆うように固定部６４の前側に着脱自在に装着されている。
【００４２】
軸受部１１１は、例えば前向き凹入状に形成されており、軸受カバー７７を固定部６４に装着したとき、ヒンジ軸８２が後側から嵌合するようになっている。なお、固定部６４の前面側には、軸受部１１１に対応して前向き突出状の軸押さえ部１１２が一体に設けられており、軸受カバー７７を固定部６４に装着したとき、軸受部１１１内に後側から嵌合したヒンジ軸８２に軸押さえ部１１２が後側から略当接して、ヒンジ軸８２を軸受部１１１の前端側に保持するようになっている。
【００４３】
また、軸受カバー７７内には、固定基部１１３ａ，１１３ｂが後ろ向きに突設されており、軸受カバー７７は、固定ネジ１１４ａ，１１４ｂを固定部６４の後側から固定部６４側の挿通孔１１５ａ，１１５ｂを介して固定基部１１３ａ，１１３ｂにねじ込むことにより固定部６４側に固定されている。
【００４４】
補助受け皿６３は、この軸受カバー７７を介してガラス扉９側に枢支され、背面側がガラス扉９の前側に当接して貯留皿１４上に位置する通常位置（図９）と、背面側がガラス扉９から離れる離間位置（図１０）との間で揺動可能であり、背面側に設けられた係合部８４が固定部６４側の被係合部８３に係脱自在に係合することにより通常位置で保持されるようになっている。
【００４５】
係合部８４は、補助受け皿６３に一定以上の前向きの力が作用したときに被係合部８３から外れるようになっている。これにより、補助受け皿６３を前側に強く引っ張ることによりガラス扉９を撓ませて内枠３との間に隙間を作り、ピアノ線等を遊技領域１２に挿入させて行うゴト行為を防止できる。
【００４６】
また、本実施形態では、補助受け皿６３がガラス扉９から前向きに若干離れる程度までを揺動許容範囲としており、補助受け皿６３をそれ以上前向きに揺動させようとした場合には外カバー７５と軸受カバー７７とが干渉するようになっている。従って、係合部８４が被係合部８３から外れてもなお補助受け皿６３を無理に前側に引っ張ってガラス扉９を撓ませようとした場合、その者はその目的を達成する前に補助受け皿６３のヒンジ部分周辺が破損するであろうことを容易に認識してそのような行為をあきらめると考えられ、不正行為を未然に防止できる。
【００４７】
補助受け皿６３が通常位置にあってガラス扉９が閉じた状態では、図９に示すように、押圧レバー９７が例えば下扉１０側の台板３１により前向きに押され、開閉部材９４が開放位置に保持されて遊技球排出口７３が開放されるため、遊技球供給ノズル６６から補助受け皿６３に供給された遊技球はこの遊技球排出口７３から下側の貯留皿１４上に落下する。一方、ガラス扉９が開放されたときには、図１１に示すように台板３１による押圧レバー９７の押圧が解除され、開閉部材９４がバネ部材９５の付勢力により開放位置から閉鎖位置に移動して遊技球排出口７３が閉鎖されるため、例えば遊技球供給ノズル６６から供給された遊技球が補助受け皿６３内に残っている場合でもそれらが落下することはない。
【００４８】
また、開かれたガラス扉９を閉じる際には、補助受け皿６３は、その下側に設けられた支持当接部１１０の傾斜部１１０ａが貯留皿１４の縁部に前側から乗り上げることにより後方上向きに案内される。
【００４９】
以上説明したように、本実施形態のパチンコ機は、遊技領域１２に対応するガラス窓１３が形成されたガラス扉９と、発射手段７の前側に対応する下扉１０とが上下に隣接して遊技機本体１の前側に開閉自在に枢支され、ガラス扉９に補助受け皿６３を、下扉１０に貯留皿１４を夫々配置しているため、貯留皿１４よりも上方に補助受け皿６３を配置しつつ、遊技領域１２と発射手段７の前側を個別に開閉することができる。
【００５０】
また、ガラス扉９の開閉動作に連動して、ガラス扉９が閉鎖状態のときに補助受け皿６３側の遊技球排出口７３を開放し、ガラス扉９が開放状態のときに遊技球排出口７３を閉鎖するシャッター手段７４を備えているため、ガラス扉９を開放したときに補助受け皿６３内の遊技球が貯留皿１４の外側にこぼれる心配がない。
【００５１】
シャッター手段７４は、遊技球排出口７３を閉鎖する閉鎖位置と開放する開放位置との間で揺動可能な開閉部材９４と、この開閉部材９４と一体的に揺動可能で且つ閉鎖位置のときにガラス扉９の後側に突出し、開放位置のときには突出しないように設けられた押圧レバー９７と、開閉部材９４を閉鎖位置側に付勢するバネ部材９５とを備え、ガラス扉９が閉鎖状態のときにはバネ部材９５の付勢力に抗して押圧レバー９７が下扉１０側の台板３１に押圧されることにより開閉部材９４が遊技球排出口７３を開放し、ガラス扉９が開放状態のときには台板３１による押圧レバー９７の押圧が解除されてバネ部材９５の付勢力により開閉部材９４が遊技球排出口７３を閉鎖するように構成されているため、ガラス扉９の開閉に伴って遊技球排出口７３を確実に開閉できる。
【００５２】
遊技球排出口７３を、補助受け皿６３の底部にその下側の貯留皿１４に向けて開口状に設けているため、補助受け皿６３を設けたガラス扉９と貯留皿１４を設けた下扉１０とを個別開閉可能とすることが容易であると共に、例えば遊技機本体１内の通路を介して補助受け皿６３から貯留皿１４側に遊技球を案内する場合と比べて装置構成を簡略化できる。
【００５３】
補助受け皿６３は、その左右方向一端側においてガラス扉９に対してヒンジ軸８２廻りに回転可能に枢支され、その裏面側がガラス扉９の前側に当接する通常位置と前側に離間する離間位置との間で揺動自在であり、補助受け皿６３におけるヒンジ軸８２と反対の遊端側に、ガラス扉９側の被係合部８３に係脱自在に係合する係合部８４を設け、該係合部８４は補助受け皿６３に一定以上の前向きの力が作用したときに被係合部８３への係合が解除されるように構成されているため、補助受け皿６３を前側に強く引っ張ることによりガラス扉９を撓ませて内枠３との間に隙間を作り、ピアノ線等を遊技領域１２に挿入させて行うゴト行為を効果的に防止できる。
【００５４】
補助受け皿６３の下面側に、ガラス扉９が閉鎖状態にあるときに貯留皿１４の縁部上面側に当接する支持当接部１１０を設けているため、ガラス扉９を閉じた状態では補助受け皿６３は貯留皿１４により下側から支持され、例えば補助受け皿６３に下向きの力が作用した場合でも容易に破損することはない。
【００５５】
支持当接部１１０の後部側は、ガラス扉９が開放状態から閉鎖状態に移動する際に貯留皿１４の縁部に前側から乗り上げ可能な傾斜状に形成されているため、ガラス扉９の開閉をスムーズに行うことができる。
【００５６】
以上、本発明の実施形態について詳述したが、本発明はこれらの実施形態に限定されるものではなく、本発明の趣旨を逸脱しない範囲で種々の変更が可能である。例えば、実施形態では、補助受け皿６３をガラス扉９に対して揺動可能としたのは専ら不正防止の目的であったため、補助受け皿６３の揺動可能範囲を極めて狭い範囲に限定したが、補助受け皿６３の揺動可能範囲を大きくして、図１２に示すように例えば補助受け皿６３を貯留皿１４の外側まで待避させることができるようにすれば、遊技者は必要に応じて補助受け皿６３を前側に揺動させて貯留皿１４の略全体を開放することができ、便利である。
【００５７】
この場合、ガラス扉９を閉鎖したままで補助受け皿６３を前側に大きく離間させた場合にも、シャッター手段７４により遊技球排出口７３が閉鎖される。またこの場合、係合部８４が被係合部８３から外れた状態で補助受け皿６３を前向きに無理に引っ張っても上記実施形態の場合のようにヒンジ部分周辺が容易に破損することはないが、ヒンジ軸８２はガラス扉９側のヒンジ１１ａの近傍に配置されているため、補助受け皿６３を前側に引っ張ってガラス扉９を大きく撓ませることは困難である。
【００５８】
また、実施形態のように専ら不正防止の目的であれば、一定以上の前向きの力が作用したときに補助受け皿６３がガラス扉９から離脱するように構成してもよい。押圧レバー９７は、下扉１０以外の例えば内枠３側の所定部位に当接するように構成してもよい。
【００５９】
また本発明は、パチンコ機に限らず、アレンジボール機、雀球遊技機等の各種の弾球遊技機においても同様に実施することが可能である。
【図面の簡単な説明】
【００６０】
【図１】本発明の一実施形態を示すパチンコ機の全体斜視図である。
【図２】本発明の一実施形態を示すパチンコ機のガラス扉及び下扉を取り外した状態での正面図である。
【図３】本発明の一実施形態を示すパチンコ機の平面断面図である。
【図４】本発明の一実施形態を示すパチンコ機の下扉の斜視図である。
【図５】本発明の一実施形態を示すパチンコ機のガラス扉の分解斜視図である。
【図６】本発明の一実施形態を示すパチンコ機の要部正面図である。
【図７】本発明の一実施形態を示すパチンコ機の補助受け皿及びその取付部分の分解斜視図である。
【図８】本発明の一実施形態を示すパチンコ機の要部側面断面図である。
【図９】本発明の一実施形態を示すパチンコ機の補助受け皿の部分平面断面図である。
【図１０】本発明の一実施形態を示すパチンコ機の補助受け皿が離間位置にあるときの説明図である。
【図１１】本発明の一実施形態を示すパチンコ機のガラス扉が開状態となったときの説明図である。
【図１２】本発明の変形例を示すパチンコ機の補助受け皿が離間位置にあるときの説明図である。
【符号の説明】
【００６１】
１  遊技機本体
７  発射手段
９  ガラス扉（上扉）
１０  下扉
１２  遊技領域
１３  ガラス窓（透明窓）
１４  貯留皿
６３  補助受け皿
７３  遊技球排出口
７４  シャッター手段
９４  開閉部材
９５  バネ部材（付勢手段）
９７  押圧レバー（押圧部材）
８２  ヒンジ軸（上下軸）
８３  被係合部
８４  係合部
１１０  支持当接部
【図１】
2008295619.tif 000003
【図２】
2008295619.tif 000004
【図３】
2008295619.tif 000005
【図４】
2008295619.tif 000006
【図５】
2008295619.tif 000007
【図６】
2008295619.tif 000008
【図７】
2008295619.tif 000009
【図８】
2008295619.tif 000010
【図９】
2008295619.tif 000011
【図１０】
2008295619.tif 000012
【図１１】
2008295619.tif 000013
【図１２】
2008295619.tif 000014